【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
光学デバイスのためのバイオポリマーセンサー用の組成物であって、
固化したバイオポリマー組成物を含み、
前記固化したバイオポリマー組成物は、バイオポリマー、及び、添加された生物学的物質を含む、
組成物。
【請求項２】
請求項１に記載の光学デバイスのためのバイオポリマーセンサー用の組成物であって、
前記バイオポリマーが、絹、キトサン、コラーゲン、ゼラチン、アガロース、キチン、ポリヒドロキシアルカノエート、プラン（ｐｕｌｌａｎ）、デンプン（アミロース  アミロペクチン）、セルロース、ヒアルロン酸、および関連するバイオポリマーからなる群、またはそれらの組み合わせより選択される、
組成物。
【請求項３】
請求項１又は２に記載の光学デバイスのためのバイオポリマーセンサー用の組成物であって、
前記固化したバイオポリマー組成物は膜の形態であり、前記添加された生物学的物質が前記膜に包埋される、
組成物。
【請求項４】
請求項１又は２に記載の光学デバイスのためのバイオポリマーセンサー用の組成物であって、
前記固化したバイオポリマー組成物は膜の形態であり、前記添加された生物学的物質が前記膜の表面にある、
組成物。
【請求項５】
請求項１から４のいずれか１項に記載の光学デバイスのためのバイオポリマーセンサー用の組成物であって、
前記バイオポリマーセンサーは、レンズ、マイクロレンズアレイ、光学格子、パターン発生器、およびビームリシェーパーのうちの少なくとも一つである、
組成物。
【請求項６】
請求項１から５のいずれか１項に記載の光学デバイスのためのバイオポリマーセンサー用の組成物であって、
前記生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、
組成物。
【請求項７】
請求項６に記載の光学デバイスのためのバイオポリマーセンサー用の組成物であって、
前記生物学的物質が、赤血球、セイヨウワサビペルオキシダーゼ、およびフェノールスルホンフタレインからなる群、またはそれらの組み合わせより選択される、
組成物。
【請求項８】
請求項１から７のいずれか１項に記載の光学デバイスのためのバイオポリマーセンサー用の組成物であって、
その上にナノパターンを有する表面をさらに含む、
組成物。
【請求項９】
光学デバイスのためのバイオポリマーセンサーの製造方法であって、
基材を提供する工程；
バイオポリマーマトリックス溶液を前記基材の上にキャストする工程であって、前記バイオポリマーマトリックス溶液がバイオポリマーおよび添加された生物学的物質を含む、工程；および
前記添加された生物学的物質を含む前記バイオポリマーマトリックス溶液を乾燥させて、前記基材の上に固化したバイオポリマーセンサーを形成させる工程
を含み、
ここで、前記バイオポリマーセンサーは、レンズ、マイクロレンズアレイ、光学格子、パターン発生器、およびビームリシェーパーのうちの少なくとも一つである、
製造方法。
【請求項１０】
請求項９に記載の製造方法であって、
前記バイオポリマーを提供する工程；および
前記バイオポリマーを加工して、前記バイオポリマーマトリックス溶液を得る工程
をさらに含む、
製造方法。
【請求項１１】
請求項９又は１０に記載の製造方法であって、
前記固化したバイオポリマーセンサーをアニールする工程をさらに含む、
製造方法。
【請求項１２】
請求項１１に記載の製造方法であって、
前記固化したバイオポリマーセンサーをアニールする工程が、真空環境および水蒸気環境の少なくとも一つの中で実施される、
製造方法。
【請求項１３】
請求項９から１２のいずれか１項に記載の製造方法であって、
前記基材がナノパターン形成された表面を含み、
前記固化したバイオポリマーセンサーは膜の形態であり、
前記膜はナノパターン形成された構造を有する、
製造方法。
【請求項１４】
請求項９から１３のいずれか１項に記載の製造方法であって、
前記基材が、光学デバイスのためのテンプレートである、
製造方法。
【請求項１５】
請求項９から１４のいずれか１項に記載の製造方法であって、
前記バイオポリマーが、絹、キトサン、コラーゲン、ゼラチン、アガロース、キチン、ポリヒドロキシアルカノエート、プラン（ｐｕｌｌａｎ）、デンプン（アミロース  アミロペクチン）、セルロース、ヒアルロン酸、および関連するバイオポリマーからなる群、またはそれらの組み合わせより選択される、
製造方法。
【請求項１６】
請求項１５に記載の製造方法であって、
前記バイオポリマーが絹であり、前記バイオポリマーマトリックス溶液が、およそ１．０重量％〜３０重量％（両端を含む）の絹を含む絹フィブロイン水溶液である、
製造方法。
【請求項１７】
請求項１６に記載の製造方法であって、
前記絹フィブロイン水溶液が、およそ８．０重量％の絹を含む、
製造方法。
【請求項１８】
請求項９から１７のいずれか１項に記載の製造方法であって、
前記添加された生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン（ｐｒｏｔｏｒｈｏｄｏｐｓｉｎ）、およびポルフィリン、ならびに関連する電子的に活性な化合物からなる群、またはそれらの組み合わせより選択される、
製造方法。
【請求項１９】
請求項１８に記載の製造方法であって、
前記添加された生物学的物質が、赤血球、セイヨウワサビペルオキシダーゼ、およびフェノールスルホンフタレインからなる群、またはそれらの組み合わせより選択される、
製造方法。
【請求項２０】
請求項９から１２のいずれか１項に記載の製造方法であって、
前記固化したバイオポリマーセンサーの表面の上にナノパターンを機械加工する工程をさらに含む、
製造方法。
【請求項２１】
請求項２０に記載の製造方法であって、
前記ナノパターンが、ホールおよびピットの少なくとも１種のアレイを含む、
製造方法。
【請求項２２】
請求項２０又は２１に記載の製造方法であって、
前記固化したバイオポリマーセンサーが膜の形態であり、
前記固化したバイオポリマーセンサー膜の表面上にナノパターンを機械加工する工程が、レーザーを使用して実施される、
製造方法。
【請求項２３】
請求項２２に記載の製造方法であって、
前記レーザーがフェムト秒レーザーパルスを発生させ、
前記固化したバイオポリマーセンサー膜の表面上にナノパターンを機械加工する工程が、前記レーザーによって発生されるフェムト秒レーザーパルスによって実施される、
製造方法。
【請求項２４】
光学デバイスのためのバイオポリマーセンサーの製造方法であって、
固化したバイオポリマー膜を提供する工程；及び、
前記固化したバイオポリマー膜に生物学的物質を添加する工程、
を含み、
前記バイオポリマーセンサーが、レンズ、マイクロレンズアレイ、光学格子、パターン発生器、およびビームリシェーパーのうちの少なくとも一つである、
製造方法。
【請求項２５】
請求項２４に記載の製造方法であって、
前記提供する工程が、
基材を提供する工程；
バイオポリマーマトリックス溶液を前記基材の上にキャストする工程であって、前記バイオポリマーマトリックス溶液がバイオポリマーを含む、工程；及び、
前記バイオポリマーマトリックス溶液を乾燥させて、前記基材の上に固化したバイオポリマー膜を形成させる工程
を含む、
製造方法。
【請求項２６】
請求項２４又は２５に記載の製造方法であって、
前記バイオポリマーが、絹、キトサン、コラーゲン、ゼラチン、アガロース、キチン、ポリヒドロキシアルカノエート、プラン、デンプン（アミロース  アミロペクチン）、セルロース、ヒアルロン酸、および関連するバイオポリマーからなる群、またはそれらの組み合わせより選択される、
製造方法。
【請求項２７】
請求項２６に記載の製造方法であって、
前記バイオポリマーが絹であり、前記バイオポリマーマトリックス溶液が、およそ１．０重量％〜３０重量％（両端を含む）の絹を含む絹フィブロイン水溶液である、
製造方法。
【請求項２８】
請求項２４から２７のいずれか１項に記載の製造方法であって、
前記生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、
製造方法。
【請求項２９】
請求項２８に記載の製造方法であって、
前記生物学的物質が、赤血球、セイヨウワサビペルオキシダーゼ、およびフェノールスルホンフタレインからなる群、またはそれらの組み合わせより選択される、
製造方法。
【請求項３０】
光学デバイスのためのバイオポリマーセンサーの製造方法であって、
添加された生物学的物質を含む固化したバイオポリマー膜を提供する工程であって、前記バイオポリマーセンサーが、レンズ、マイクロレンズアレイ、光学格子、パターン発生器、およびビームリシェーパーのうちの少なくとも一つである、工程；及び、
前記バイオポリマー膜の表面の上にナノパターンを機械加工する工程
を含む、
製造方法。
【請求項３１】
請求項３０に記載の製造方法であって、
前記ナノパターンが、ホールおよびピットの少なくとも１種のアレイを含む、
製造方法。
【請求項３２】
請求項３０又は３１に記載の製造方法であって、
前記バイオポリマー膜の表面上にナノパターンを機械加工する工程が、レーザーを使用して実施される、
製造方法。
【請求項３３】
請求項３２に記載の製造方法であって、
前記レーザーがフェムト秒レーザーパルスを発生させ、
前記固化したバイオポリマーセンサー膜の表面上にナノパターンを機械加工する工程が、前記レーザーによって発生されるフェムト秒レーザーパルスによって実施される、
製造方法。
【請求項３４】
目標の微生物（ｏｒｇａｎｉｓｍ）、化学物質、組成物、又は、環境的な特徴（ｅｎｖｉｒｏｎｍｅｎｔａｌ  ｆｅａｔｕｒｅ）の検知方法であって、
対象の環境と、固化したバイオポリマー組成物を含む光学デバイスとを接触させる工程であって、
前記固化したバイオポリマー組成物は、
バイオポリマー；及び、
前記目標の微生物、化学物質、組成物、又は、環境的な特徴に反応する
添加された生物学的物質、を含む、工程、
による、
検知方法。
【請求項３５】
請求項３４に記載の検知方法であって、
前記バイオポリマーが絹である、又は、絹を含む、
検知方法。
【請求項３６】
請求項３４又は３５に記載の検知方法であって、
前記対象の環境が、陸（ｌａｎｄ）又は水である、若しくは、陸又は水を含む、
検知方法。
【請求項３７】
請求項３４又は３５に記載の検知方法であって、
前記対象の環境が、貯水池、河川又は湖である、若しくは、貯水池、河川又は湖を含む、
検知方法。
【請求項３８】
請求項３４又は３５に記載の検知方法であって、
前記対象の環境が、家庭用タンク、タップ、井戸、又は処理槽系である、若しくは、家庭用タンク、タップ、井戸、又は処理槽系を含む、
検知方法。
【請求項３９】
請求項３５に記載の検知方法であって、
前記固化したバイオポリマー組成物が絹回折格子を含み、前記生物学的物質が有機指示薬を含む、
検知方法。
【請求項４０】
請求項３５に記載の検知方法であって、
前記固化したバイオポリマー組成物が絹回折格子を含み、前記生物学的物質が細胞を含む、
検知方法。
【請求項４１】
請求項３５に記載の検知方法であって、
前記固化したバイオポリマー組成物が絹回折格子を含み、前記生物学的物質が酵素を含む、
検知方法。
【請求項４２】
請求項３５に記載の検知方法であって、
前記固化したバイオポリマー組成物が絹回折格子を含み、前記生物学的物質が、タンパク質、ペプチド、ＤＮＡ、ＲＮＡ、酵素、タンパク質複合体、ウイルス、細胞、抗体、その他の生体分子、色素、組織、およびその他の生体材料を含む、
検知方法。